(57)【要約】【課題】指等のサイズよりも指輪等の装身具のサイズが小さい場合でも締め付けすぎの状態が解消されて、長時間の装着にも堪えることができ、また部品点数が少なく、その組み付けも簡単なフリーサイズ装身具を提供する。【解決手段】一対の装飾部材を備え、該一対の装飾部材をその端部の連結部において軸着することにより首振り可能に連結し、前記連結部に内蔵したバネで前記一対の装飾部材の他端を閉じる方向に付勢するようにしたフリーサイズ装身具であって、前記連結部に内蔵したバネを、前記一対の装飾部材の一方の装飾部材に沿って保持された長尺の板バネとし、その先端を前記他方の装飾部材の端部内周に沿って当接させることにより、前記一対の装飾部材の他端を閉じる方向に付勢するようにするとともに、前記連結部もしくは前記一対の装飾部材を閉じる他端部に、一定の角度以上に一対の装飾部材が開くことを防止する開放規制手段を設けた。【選択図】  図１
2014158633.tif 000002
【特許請求の範囲】
【請求項１】
一対の装飾部材を備え、該一対の装飾部材をその端部の連結部において軸着することにより首振り可能に連結し、前記連結部に内蔵したバネで前記一対の装飾部材の他端を閉じる方向に付勢するようにしたフリーサイズ装身具であって、前記連結部に内蔵したバネを、前記一対の装飾部材の一方の装飾部材に沿って保持された長尺の板バネとし、その先端を前記他方の装飾部材の端部内周に沿って当接させることにより、前記一対の装飾部材の他端を閉じる方向に付勢するようにするとともに、前記連結部もしくは前記一対の装飾部材を閉じる他端部に、一定の角度以上に一対の装飾部材が開くことを防止する開放規制手段を設けたことを特徴とするフリーサイズ装身具。
【請求項２】
前記連結部における一定の角度以上に一対の装飾部材が開くことを防止する開放規制手段は、前記一方の装飾部材に軸着位置から所定の距離をおいて、前記軸着位置を中心とする円弧上に設けた所定の長さのガイド孔もしくはガイド溝と、前記他方の装飾部材に設けた前記ガイド孔もしくはガイド溝に係合するピンないしフックで構成されていることを特徴とする請求項1に記載のフリーサイズ装身具。
【請求項３】
前記一対の装飾部材を閉じる他端部における一定の角度以上に一対の装飾部材が開くことを防止する開放規制手段は、前記一対の装飾部材の端部に設けたフック状もしくはリング状連結部からなることを特徴とする請求項1に記載のフリーサイズ装身具。
【請求項４】
前記一対の装飾部材を閉じる他端部における一定の角度以上に一対の装飾部材が開くことを防止する開放規制手段は、前記一対の装飾部材の一方の装飾部材の端部に設けた所定の長さのガイド孔もしくはガイド溝と、前記他方の装飾部材に設けた前記ガイド孔もしくはガイド溝に係合するピンないしフックで構成されていることを特徴とする請求項1に記載のフリーサイズ装身具。
【発明の詳細な説明】
【技術分野】
【０００１】
本発明はフリーサイズ装身具に係るものである。
【背景技術】
【０００２】
従来より、円環状態を保ちながら、指に適切にフィットさせることができるフリーサイズ機能を持った指輪等のフリーサイズ装身具を提供することが望まれている。
【０００３】
そのため、特開２００２−３５５１０７号公報（特許文献１参照）には、円環状態を保ちながら、指に適切にフィットさせることができるフリーサイズ機能を持った指輪を提供するために下記の構造を採用したものが示されている。
すなわち、回動環構成体とスライド側環構成体とは、スライド側環構成体に形成されたガイド溝に回動環構成体に備え付けられた案内ピンを入れ込ませて組み付けられている。回動環構成体と軸受け側環構成体とは、回動軸によって回動環構成体の指輪の内径を広げさせる向きの回動を許容した状態で組み付けられている。軸受け側環構成体の内側には、バネの一端を一方の回動環構成体の一端部における回動軸より先の末端部に内側から押し当てさせ、かつ、バネの他端を他方の回動環構成体の一端部における回動軸より先の末端部に内側から押し当てさせる板バネが備えられている。
【先行技術文献】
【特許文献】
【０００４】
【特許文献１】特開２００２−３５５１０７号公報
【発明の概要】
【発明が解決しようとする課題】
【０００５】
しかるに、特開２００２−３５５１０７号公報（特許文献１参照）においては、前記一対の回動環構成体を指輪の内径を広げ出させる向きに回動させるような力が作用された場合、前記板バネの両端部にはそれぞれ前記回動環構成体の回動軸より先の末端部によって当該両端部を指輪の内方に押し込ませる向きの力が作用される。これにより、このように一対の回動環構成体が回動された場合、板バネが弾性変形されることとなり、この板バネの弾性変形によって一対の回動環構成体は指輪の内径を狭めさせる向きの付勢力を受けさせられた状態で当該指輪の内径を広げ出させる向きに回動されることとなる。
そしてその際、前記板バネの両端部にはそれぞれ前記回動環構成体の末端部によって当該両端部を指輪の内方に押し込ませる向きの伸縮方向の力が作用するので、指のサイズよりも指輪のサイズが小さい場合には非常に強い板バネの反発力が作用して締め付けすぎの状態となり、長時間の装着には堪えられないようになってしまう。
【０００６】
また、特開２００２−３５５１０７号公報（特許文献１参照）においては、前記スライド側環構成体という特殊なパーツを用いており、部品点数のみならず、その組み付けに手間がかかる上、前記パーツが装身具の装飾性を損ないがちであるという問題点があった。
【０００７】
本発明は上記した従来のフリーサイズ装身具の問題点を改良したものであり、指等の被装着物のサイズよりも指輪等の装身具のサイズが小さい場合でも締め付けすぎの状態が解消されて、長時間の装着にも堪えることが可能であり、また部品点数が少なく、その組み付けも簡単なフリーサイズ装身具を提供しようとするものである。
【課題を解決するための手段】
【０００８】
すなわちこの発明のフリーサイズ装身具は、一対の装飾部材を備え、該一対の装飾部材をその端部の連結部において軸着することにより首振り可能に連結し、前記連結部に内蔵したバネで前記一対の装飾部材の他端を閉じる方向に付勢するようにしたフリーサイズ装身具であって、前記連結部に内蔵したバネを、前記一対の装飾部材の一方の装飾部材に沿って保持された長尺の板バネとし、その先端を前記他方の装飾部材の端部内周に沿って当接させることにより、前記一対の装飾部材の他端を閉じる方向に付勢するようにするとともに、前記連結部もしくは前記一対の装飾部材を閉じる他端部に、一定の角度以上に一対の装飾部材が開くことを防止する開放規制手段を設けたことを特徴とするものである。
【０００９】
この発明のフリーサイズ装身具において、前記連結部における一定の角度以上に一対の装飾部材が開くことを防止する開放規制手段は、前記一方の装飾部材に軸着位置から所定の距離をおいて、前記軸着位置を中心とする円弧上に設けた所定の長さのガイド孔もしくはガイド溝と、前記他方の装飾部材に設けた前記ガイド孔もしくはガイド溝に係合するピンないしフックで構成されていることをも特徴とするものである。
【００１０】
この発明のフリーサイズ装身具において、前記一対の装飾部材を閉じる他端部における一定の角度以上に一対の装飾部材が開くことを防止する開放規制手段は、前記一対の装飾部材の端部に設けたフック状もしくはリング状連結部からなることをも特徴とするものである。
【００１１】
この発明のフリーサイズ装身具において、前記一対の装飾部材を閉じる他端部における一定の角度以上に一対の装飾部材が開くことを防止する開放規制手段は、前記一対の装飾部材の一方の装飾部材の端部に設けた所定の長さのガイド孔もしくはガイド溝と、前記他方の装飾部材に設けた前記ガイド孔もしくはガイド溝に係合するピンないしフックで構成されていることをも特徴とするものである。
【発明の効果】
【００１２】
この発明によれば、指等の被装着物のサイズよりも指輪等の装身具のサイズが小さい場合でも、締め付けすぎの状態が解消されて長時間の装着にも堪えることが可能であり、また部品点数が少なく、その組み付けも簡単なフリーサイズ装身具を提供することが可能となった。
【図面の簡単な説明】
【００１３】
【図１】本発明のフリーサイズ装身具を指輪に適用した第１実施例を示す正面図である。
【図２】その平面図である。
【図３】その底面図である。
【図４】図１のＡ−Ａ’断面図である。
【図５】その要部縦断面図である。
【図６】前記フリーサイズ装身具の径を拡げた状態の正面図である。
【図７】その平面図である。
【図８】その底面図である。
【図９】図６のＢ−Ｂ’断面図である。
【図１０】その要部縦断面図である。
【図１１】図１の要部拡大断面図である。
【図１２】図６の要部拡大断面図である。
【図１３】フリーサイズ装身具の連結部の他の例を示す要部拡大断面図である。
【図１４】その径を拡げた状態の要部拡大断面図である。
【図１５】本発明の第２実施例を示す正面図である。
【図１６】その平面図である。
【図１７】その底面図である。
【図１８】図１５のＣ−Ｃ’断面図である。
【図１９】その要部縦断面図である。
【図２０】前記フリーサイズ装身具の径を拡げた状態の正面図である。
【図２１】その平面図である。
【図２２】その底面図である。
【図２３】図２０のＤ−Ｄ’断面図である。
【図２４】その要部縦断面図である。
【図２５】図１５の要部拡大断面図である。
【図２６】図２０の要部拡大断面図である。
【図２７】本発明の第３実施例を示す正面図である。
【図２８】その平面図である。
【図２９】その底面図である。
【図３０】図２７のＥ−Ｅ’断面図である。
【図３１】その全体の縦断面図である。
【図３２】図２７のＦ−Ｆ’断面図である。
【図３３】前記フリーサイズ装身具の径を拡げた状態の正面図である。
【図３４】その平面図である。
【図３５】その底面図である。
【図３６】図３３のＧ−Ｇ’断面図である。
【図３７】その全体の縦断面図である。
【図３８】図３３のＨ−Ｈ’断面図である。
【図３９】図２７の要部拡大断面図である。
【図４０】図３３の要部拡大断面図である。
【図４１】本発明の第４実施例を示す正面図である。
【図４２】その平面図である。
【図４３】その底面図である。
【図４４】図４１のＩ−Ｉ’断面図である。
【図４５】その要部縦断面図である。
【図４６】前記フリーサイズ装身具の径を拡げた状態の正面図である。
【図４７】その平面図である。
【図４８】その底面図である。
【図４９】図４６のＪ−Ｊ’断面図である。
【図５０】その要部縦断面図である。
【図５１】図４１の要部拡大断面図である。
【図５２】図４６の要部拡大断面図である。
【図５３】本発明の第５実施例を示す正面図である。
【図５４】その平面図である。
【図５５】その底面図である。
【図５６】図５３のＫ−Ｋ’断面図である。
【図５７】その全体の縦断面図である。
【図５８】図５３のＬ−Ｌ’断面図である。
【図５９】前記フリーサイズ装身具の径を拡げた状態の正面図である。
【図６０】その平面図である。
【図６１】その底面図である。
【図６２】図５９のＭ−Ｍ’断面図である。
【図６３】その全体の縦断面図である。
【図６４】図５９のＮ−Ｎ’断面図である。
【図６５】図５３の要部拡大断面図である。
【図６６】図５９の要部拡大断面図である。
【発明を実施するための形態】
【００１４】
以下、図面に基いて本発明のフリーサイズ装身具を指輪に適用した実施の形態について詳細に説明する。
図１ないし図１２は本発明のフリーサイズ装身具を指輪に適用した第１実施例を示すものである。
本発明の指輪１１の常態を示す図１ないし図５において、前記指輪１１は一対の装飾部材１２，１３を備えている。図では前記一対の装飾部材１２，１３は、ほぼ対称的な形状を備えており、上部の開放端部は互いの側面がすれ違うように重なり合っている。
そして前記指輪１１は、前記一対の装飾部材１２，１３をその端部の連結部１４において軸ピン１５を用いて軸着することにより首振り可能に連結されている。その際、前記一対の装飾部材１２，１３の一方の装飾部材１２の端部には所定幅の雄部材１２ａが、他方の装飾部材１３の端部には前記雄部材１２ａを挟み付けるＵ字状の雌部材１３ａがそれぞれ形成してあり、前記雄部材１２ａと雌部材１３ａを係合して軸ピン１５を用いて軸着している。
【００１５】
そして前記一対の装飾部材１２，１３は、前記連結部１４に内蔵したバネで前記一対の装飾部材１２，１３の他端を閉じる方向に付勢するようにしたものである。
本実施例では、前記連結部１４に内蔵したバネは前記一対の装飾部材１２，１３の他方の装飾部材１３に沿って保持された長尺の板バネ１６とし、その先端を前記一方の装飾部材１２の端部内周に沿って当接させることにより、前記一対の装飾部材１２，１３の他端を閉じる方向に付勢するようにするようになっている。
１３ｂは他方の装飾部材１３の適所に設けた固定用の溝、１６ａはその中にはめ込む板バネ１６の端部、１３ｃは板バネ１６を保持する固定用バーである。もちろん、この固定用バー１３ｃを板バネ１６のほぼ全長を覆う長さのカバーとすれば、板バネ１６が見えなくなって見栄えが良く、したがって指輪１１の装飾性を向上させることができる。
【００１６】
本発明においては、前記連結部１４もしくは前記一対の装飾部材１２，１３を閉じる他端部に、一定の角度以上に一対の装飾部材１２，１３が開くことを防止する開放規制手段２１を設けたことを特徴としている。
本実施例において、前記連結部１４における一定の角度以上に一対の装飾部材１２，１３が開くことを防止する開放規制手段２１は、前記一方の装飾部材１２に前記軸ピン１５の軸着位置から所定の距離をおいて、前記軸着位置を中心とする円弧上に設けた所定の長さのガイド孔２２と、前記他方の装飾部材１３に設けた前記ガイド孔２２に係合する開放規制ピン２３で構成されている。
【００１７】
本実施例の指輪１１を指に装着するため、図６ないし図１０のように、前記一対の装飾部材１２，１３の径を拡げようとすると、前記連結部１４に内蔵した板バネ１６の先端が前記一方の装飾部材１２の端部内周を押圧している。したがって、前記一対の装飾部材１２，１３の他端を閉じる方向に向かう付勢力を受けながら径を拡げることとなり、径を拡げる力を解放すると前記一対の装飾部材１２，１３の他端を閉じる常態位置に復帰する。
しかしながら、前記一対の装飾部材１２，１３を所定角度以上に開くと、前記一対の装飾部材１２，１３の他端を閉じる方向に向かう付勢力は機能しなくなり、開放状態のままとなって指輪１１は装着した指から脱落してしまう。
前記問題点を解決するため、前記一対の装飾部材１２，１３の連結部１４の一方の外周に開放規制片（図示せず）を設けた場合には、指輪１１の装飾性を損なうばかりか、開放規制片が指に接触して指を傷付けたり、開放規制片の強度が保ちにくいという欠点があった。
【００１８】
本実施例においては、図１１および図１２に示すように、前記連結部１４における一定の角度以上に一対の装飾部材１２，１３が開こうとすると、前記ガイド孔２２の端部に前記開放規制ピン２３が係止され、前記一対の装飾部材１２，１３が所定の角度以上に開くことはなく、したがって指輪１１が指から脱落する恐れもない。
図１３および図１４は、前記指輪１１の連結部１４の他の例を示すものである。
本例において、前記連結部１４における一定の角度以上に一対の装飾部材１２，１３が開くことを防止する開放規制手段３１は、前記軸着位置を中心とする円弧上に設けた所定の長さのガイド溝３２と、前記他方の装飾部材１３に設けた前記ガイド溝３２に係合する開放規制ピン３３で構成されている。その機能は図１１および図１２の例と同様である。
【００１９】
図１５ないし図２４は本発明のフリーサイズ装身具を指輪に適用した第２実施例を示すものである。
本実施例の指輪４１の常態を示す図１５ないし図１９において、前記指輪４１は一対の装飾部材４２，４３を備えている。図では前記一対の装飾部材４２，４３は、ほぼ対称的な形状を備えており、上部の開放端部は互いに交差して連結するように重なり合っている。
そして前記指輪４１は、前記一対の装飾部材４２，４３をその端部の連結部４４において軸ピン４５を用いて軸着することにより首振り可能に連結されている。
【００２０】
そして前記一対の装飾部材４２，４３は、前記連結部４４に内蔵したバネで前記一対の装飾部材４２，４３の他端を閉じる方向に付勢するようにしたものである。
本実施例でも、図２５および図２６に示すように、前記連結部４４に内蔵したバネは前記一対の装飾部材４２，４３の他方の装飾部材４３に沿って保持された長尺の板バネ４６とし、その先端を前記一方の装飾部材４２の端部内周に沿って当接させることにより、前記一対の装飾部材４２，４３の他端を閉じる方向に付勢するようにするようになっている。
【００２１】
本実施例においては、前記一対の装飾部材４２，４３を閉じる他端部に、一定の角度以上に一対の装飾部材４２，４３が開くことを防止する開放規制手段５１を設けたことを特徴としている。
本実施例において、前記一対の装飾部材４２，４３が一定の角度以上に開くことを防止する開放規制手段５１は、前記一対の装飾部材４２，４３の端部に設けたリング状連結部５２からなり、互いのループ部分を交差させて連結している。
【００２２】
本実施例の指輪４１を指に装着するため、図２０ないし図２４のように、前記一対の装飾部材４２，４３の径を拡げようとすると、前記連結部４４に内蔵した板バネ４６の先端が前記一方の装飾部材４２の端部内周を押圧している。したがって、前記一対の装飾部材４２，４３の他端を閉じる方向に向かう付勢力を受けながら径を拡げることとなり、径を拡げる力を解放すると前記一対の装飾部材４２，４３の他端を閉じる常態位置に復帰する。
しかしながら、前記一対の装飾部材４２，４３を所定角度以上に開くと、前記一対の装飾部材４２，４３の他端を閉じる方向に向かう付勢力は機能しなくなり、開放状態のままとなって指輪４１は装着した指から脱落してしまう。
本実施例においては、前記一対の装飾部材４２，４３が一定の角度以上に開こうとすると、前記一対の装飾部材４２，４３の端部に設けたリング状連結部５２どうしが係止し、前記一対の装飾部材４２，４３が所定の角度以上に開くことはなく、したがって指輪４１が指から脱落する恐れもない。
【００２３】
図２７ないし図３８は本発明のフリーサイズ装身具を指輪に適用した第３実施例を示すものである。
本実施例の指輪６１の常態を示す図２７ないし図３２において、前記指輪６１は一対の装飾部材６２，６３を備えている。図では前記一対の装飾部材６２、６３の他方の装飾部材６３の端部には、背面に空洞部６３ｂが形成されたリボン状装飾体６３ａが取り付けられている。
また、前記指輪６１は、前記一対の装飾部材６２，６３をその端部の連結部６４において軸ピン６５を用いて軸着することにより首振り可能に連結されている。
【００２４】
そして前記一対の装飾部材６２，６３は、前記連結部６４に内蔵したバネで前記一対の装飾部材６２，６３の他端を閉じる方向に付勢するようにしたものである。
本実施例でも、図３９および図４０に示すように、前記連結部６４に内蔵したバネは前記一対の装飾部材６２，６３の他方の装飾部材６３に沿って保持された長尺の板バネ６６とし、その先端を前記一方の装飾部材６２の端部内周に沿って当接させることにより、前記一対の装飾部材６２，６３の他端を閉じる方向に付勢するようにするようになっている。
【００２５】
本実施例においては、前記一対の装飾部材６２，６３を閉じる他端部に、一定の角度以上に一対の装飾部材６２，６３が開くことを防止する開放規制手段７１を設けたことを特徴としている。
本実施例において、前記一対の装飾部材６２，６３が一定の角度以上に開くことを防止する開放規制手段７１は、前記リボン状装飾体６３ａの空洞部６３ｂの他端に形成した前記一方の装飾部材６２を挿通するガイド溝７２と、前記一方の装飾部材６２の先端に上向きに設けたフック７３で構成されている。
【００２６】
本実施例の指輪６１を指に装着するため、図３３ないし図３８のように、前記一対の装飾部材６２，６３の径を拡げようとすると、前記連結部６４に内蔵した板バネ６６の先端が前記一方の装飾部材６２の端部内周を押圧している。したがって、前記一対の装飾部材６２，６３の他端を閉じる方向に向かう付勢力を受けながら径を拡げることとなり、径を拡げる力を解放すると前記一対の装飾部材６２，６３の他端を閉じる常態位置に復帰する。
しかしながら、前記一対の装飾部材６２，６３を所定角度以上に開くと、前記一対の装飾部材６２，６３の他端を閉じる方向に向かう付勢力は機能しなくなり、開放状態のままとなって指輪６１は装着した指から脱落してしまう。
本実施例においては、前記一対の装飾部材６２，６３が一定の角度以上に開こうとすると、前記リボン状装飾体６３ａの空洞部６３ｂのガイド溝７２の上端に、前記一方の装飾部材６２の先端に上向きに設けたフック７３が係合し、前記一対の装飾部材６２，６３が所定の角度以上に開くことはなく、したがって指輪６１が指から脱落する恐れもない。
【００２７】
図４１ないし図５２は本発明のフリーサイズ装身具を指輪に適用した第４実施例を示すものである。
本実施例の指輪８１の常態を示す図４１ないし図４５において、前記指輪８１は一対の装飾部材８２，８３を備えている。図では前記一対の装飾部材８２，８３は、ほぼ対称的な形状を備えており、上部の開放端部は互いの側面がすれ違うように重なり合っている。
また、前記指輪８１は、前記一対の装飾部材８２，８３をその端部の連結部８４において軸ピン８５を用いて軸着することにより首振り可能に連結されている。
【００２８】
そして前記一対の装飾部材８２，８３は、前記連結部８４に内蔵したバネで前記一対の装飾部材８２，８３の他端を閉じる方向に付勢するようにしたものである。
本実施例でも、図５１および図５２に示すように、前記連結部８４に内蔵したバネは前記一対の装飾部材８２，８３の他方の装飾部材８３に沿って保持された長尺の板バネ８６とし、その先端を前記一方の装飾部材８２の端部内周に沿って当接させることにより、前記一対の装飾部材８２，８３の他端を閉じる方向に付勢するようにするようになっている。
【００２９】
本実施例においては、前記一対の装飾部材８２，８３を閉じる他端部に、一定の角度以上に一対の装飾部材８２，８３が開くことを防止する開放規制手段９１を設けたことを特徴としている。
本実施例において、前記一対の装飾部材８２，８３が一定の角度以上に開くことを防止する開放規制手段９１は、前記一対の装飾部材８２，８３の一方の側面に形成したガイド溝９２と、他方の側面に形成したピン９３で構成されている。
【００３０】
本実施例の指輪８１を指に装着するため、図４６ないし図５０のように、前記一対の装飾部材８２，８３の径を拡げようとすると、前記連結部８４に内蔵した板バネ８６の先端が前記一方の装飾部材８２の端部内周を押圧している。したがって、前記一対の装飾部材８２，８３の他端を閉じる方向に向かう付勢力を受けながら径を拡げることとなり、径を拡げる力を解放すると前記一対の装飾部材８２，８３の他端を閉じる常態位置に復帰する。
しかしながら、前記一対の装飾部材８２，８３を所定角度以上に開くと、前記一対の装飾部材８２，８３の他端を閉じる方向に向かう付勢力は機能しなくなり、開放状態のままとなって指輪８１は装着した指から脱落してしまう。
本実施例においては、前記一対の装飾部材８２，８３が一定の角度以上に開こうとすると、前記一対の装飾部材８２，８３の一方の側面に形成したガイド溝９２の先端部分に他方の側面に形成したピン９３が係合し、前記一対の装飾部材８２，８３が所定の角度以上に開くことはなく、したがって指輪８１が指から脱落する恐れもない。
【００３１】
図５３ないし図６６は本発明のフリーサイズ装身具を指輪に適用した第５実施例を示すものである。
本実施例の指輪１０１の常態を示す図５３ないし図５８において、前記指輪１０１は一対の装飾部材１０２，１０３を備えている。図では前記一対の装飾部材１０２、１０３の他方の装飾部材１０３の上端部には、花弁等をモチーフとした装飾体１０３ａが取り付けられている。
また、前記指輪１０１は、前記一対の装飾部材１０２，１０３を装飾体１０３ａが取り付けられた上端側の連結部１０４において軸ピン１０５を用いて軸着することにより首振り可能に連結されている。
【００３２】
そして前記一対の装飾部材１０２，１０３は、前記連結部１０４に内蔵したバネで前記一対の装飾部材１０２，１０３の下端側を閉じる方向に付勢するようにしたものである。
本実施例でも、図６５および図６６に示すように、前記連結部１０４に内蔵したバネは前記一対の装飾部材１０２，１０３の他方の装飾部材１０２に沿って保持された長尺の板バネ１０６とし、その先端を前記一方の装飾部材１０３の端部内周に沿って当接させることにより、前記一対の装飾部材１０２，１０３の他端を閉じる方向に付勢するようにするようになっている。
【００３３】
本実施例においては、前記一対の装飾部材１０２，１０３を閉じる下側の端部に、一定の角度以上に一対の装飾部材１０２，１０３が開くことを防止する開放規制手段１１１を設けたことを特徴としている。
本実施例において、前記一対の装飾部材１０２，１０３が一定の角度以上に開くことを防止する開放規制手段１１１は、前記一対の装飾部材１０２，１０３の他方の装飾部材１０３の厚さ方向に設けたガイド溝ないしガイド孔１１２と、前記一方の装飾部材１０２の先端に内向きに設けたフック１１３で構成されている。
【００３４】
本実施例の指輪１０１を指に装着するため、図５９ないし図６４のように、前記一対の装飾部材１０２，１０３の径を拡げようとすると、前記連結部１０４に内蔵した板バネ１０６の先端が前記他方の装飾部材１０３の端部内周を押圧している。したがって、前記一対の装飾部材１０２，１０３の他端を閉じる方向に向かう付勢力を受けながら径を拡げることとなり、径を拡げる力を解放すると前記一対の装飾部材１０２，１０３の他端を閉じる常態位置に復帰する。
しかしながら、前記一対の装飾部材１０２，１０３を所定角度以上に開くと、前記一対の装飾部材１０２，１０３の他端を閉じる方向に向かう付勢力は機能しなくなり、開放状態のままとなって指輪１０１は装着した指から脱落してしまう。
本実施例においては、前記一対の装飾部材１０２，１０３が一定の角度以上に開こうとすると、前記一対の装飾部材１０２，１０３の他方の装飾部材１０３に設けたガイド孔１１２の先端に、前記一方の装飾部材１０２の先端に設けたフック１１３が係合し、前記一対の装飾部材１０２，１０３が所定の角度以上に開くことはなく、したがって指輪１０１が指から脱落する恐れもない。
【産業上の利用可能性】
【００３５】
本発明は以上の通りの構成を有するものであり、弾発力に柔らか味を付与することができ、例えば指輪に適用した場合、指に強く圧着することなく装着することができるものであり、長時間の装着にも痛みを伴わないという大きな利点がある。
また、前記開放規制手段を目立たない位置に内蔵させることができるため、装身具を軽量のまま保つことができてコスト面でも有利であり、前記開放規制手段が装飾性を損なうこともないので、装飾性に優れた装身具を提供することが可能となる。
【００３６】
以上、本発明を指輪をもって説明したが、装飾部材を複数に分割して構成するその他の装身具に適用できることは勿論であり、例えばブレスレットやアンクレット等にも用いることができ、その利用範囲は広い。
【符号の説明】
【００３７】
１１  指輪
１２  装飾部材
１２ａ  雄部材
１３  装飾部材
１３ａ  雌部材
１３ｂ  固定用の溝
１３ｃ  固定用カバー
１４  連結部
１５  軸ピン
１６  板バネ
１６ａ  端部
２１  開放規制手段
２２  ガイド孔
２３  開放規制ピン
３１  開放規制手段
３２  ガイド溝
３３  開放規制ピン
４１  指輪
４２  装飾部材
４３  装飾部材
４４  連結部
４５  軸ピン
４６  板バネ
５１  開放規制手段
５２  リング状連結部
６１  指輪
６２  装飾部材
６３  装飾部材
６３ａ  リボン状装飾体
６３ｂ  空洞部
６４  連結部
６６  板バネ
７１  開放規制手段
７２  ガイド溝
７３  フック
８１  指輪
８２  装飾部材
８３  装飾部材
８４  連結部
８６  板バネ
９１  開放規制手段
９２  ガイド溝
９３  ピン
１０１  指輪
１０２  装飾部材
１０３  装飾部材
１０３ａ  装飾体
１０４  連結部
１０５  軸ピン
１０６  板バネ
１１１  開放規制手段
１１２  ガイド孔
１１３  フック
【図１】
2014158633.tif 000003
【図２】
2014158633.tif 000004
【図３】
2014158633.tif 000005
【図４】
2014158633.tif 000006
【図５】
2014158633.tif 000007
【図６】
2014158633.tif 000008
【図７】
2014158633.tif 000009
【図８】
2014158633.tif 000010
【図９】
2014158633.tif 000011
【図１０】
2014158633.tif 000012
【図１１】
2014158633.tif 000013
【図１２】
2014158633.tif 000014
【図１３】
2014158633.tif 000015
【図１４】
2014158633.tif 000016
【図１５】
2014158633.tif 000017
【図１６】
2014158633.tif 000018
【図１７】
2014158633.tif 000019
【図１８】
2014158633.tif 000020
【図１９】
2014158633.tif 000021
【図２０】
2014158633.tif 000022
【図２１】
2014158633.tif 000023
【図２２】
2014158633.tif 000024
【図２３】
2014158633.tif 000025
【図２４】
2014158633.tif 000026
【図２５】
2014158633.tif 000027
【図２６】
2014158633.tif 000028
【図２７】
2014158633.tif 000029
【図２８】
2014158633.tif 000030
【図２９】
2014158633.tif 000031
【図３０】
2014158633.tif 000032
【図３１】
2014158633.tif 000033
【図３２】
2014158633.tif 000034
【図３３】
2014158633.tif 000035
【図３４】
2014158633.tif 000036
【図３５】
2014158633.tif 000037
【図３６】
2014158633.tif 000038
【図３７】
2014158633.tif 000039
【図３８】
2014158633.tif 000040
【図３９】
2014158633.tif 000041
【図４０】
2014158633.tif 000042
【図４１】
2014158633.tif 000043
【図４２】
2014158633.tif 000044
【図４３】
2014158633.tif 000045
【図４４】
2014158633.tif 000046
【図４５】
2014158633.tif 000047
【図４６】
2014158633.tif 000048
【図４７】
2014158633.tif 000049
【図４８】
2014158633.tif 000050
【図４９】
2014158633.tif 000051
【図５０】
2014158633.tif 000052
【図５１】
2014158633.tif 000053
【図５２】
2014158633.tif 000054
【図５３】
2014158633.tif 000055
【図５４】
2014158633.tif 000056
【図５５】
2014158633.tif 000057
【図５６】
2014158633.tif 000058
【図５７】
2014158633.tif 000059
【図５８】
2014158633.tif 000060
【図５９】
2014158633.tif 000061
【図６０】
2014158633.tif 000062
【図６１】
2014158633.tif 000063
【図６２】
2014158633.tif 000064
【図６３】
2014158633.tif 000065
【図６４】
2014158633.tif 000066
【図６５】
2014158633.tif 000067
【図６６】
2014158633.tif 000068